(57)【要約】【課題】熱源部の全体から極力均等に放熱させることのできる熱交換装置を提供する。【解決手段】電池スタックＢＳと熱交換部２との間の熱移動を促進させるために、電池スタックの所定の面と熱交換部２の平坦面との間に介在部３を配置する。介在部３は、変形可能な材料で形成された表面層としての熱伝導グリス３１と、表面層よりも熱伝導率の高い材料で形成された中間層としての中間部材４１とを有している。さらに、中間部材４１には、介在部３が電池スタックＢＳの面と熱交換部２の平坦面との間に狭持された際に、熱伝導グリス３１を侵入させる中間層側溝部４１ａが形成されている。これにより、電池スタックＢＳと熱交換部２との間の残留空気を中間層側溝部４１ａから排出可能とし、さらに、中間部材４１によって電池スタックＢＳと熱交換部２との間の熱移動を促進する。【選択図】図１
2019139879.tif 000002
【特許請求の範囲】
【請求項１】
熱源部（ＢＳ）の有する熱を移動させる熱交換部（２）と、
前記熱源部と前記熱交換部との間に配置されて、前記熱源部と前記熱交換部との間の熱移動を促進させる介在部（３）と、を備え、
前記介在部は、変形可能な材料で形成されているとともに、前記介在部が前記熱源部と前記熱交換部との間に挟持された際に押し潰されることによって前記介在部と前記熱源部との間、あるいは、前記介在部と前記熱交換部との間に空気が残留してしまうことを抑制する介在部側突出部（３３ａ、３４ａ）を有している熱交換装置。
【請求項２】
熱源部（ＢＳ）の有する熱を移動させる熱交換部（２）と、
前記熱源部と前記熱交換部との間に配置されて、前記熱源部と前記熱交換部との間の熱移動を促進させる介在部（３）と、を備え、
前記介在部は、変形可能な材料で形成されており、
前記熱源部および前記熱交換部の少なくとも一方は、前記介在部が前記熱源部と前記熱交換部との間に挟持された際に前記介在部を侵入させることによって前記介在部と前記熱源部との間、あるいは、前記介在部と前記熱交換部との間に空気が残留してしまうことを抑制する溝部（６ｂ）を有している熱交換装置。
【請求項３】
熱源部（ＢＳ）の有する熱を移動させる熱交換部（２）と、
前記熱源部と前記熱交換部との間に配置されて、前記熱源部と前記熱交換部との間の熱移動を促進させる介在部（３）と、を備え、
前記介在部は、変形可能な材料で形成された表面層（３１、３２）、および前記表面層よりも熱伝導率の高い材料で形成された中間層（４１…４５）を有し、
前記中間層は、前記介在部が前記熱源部と前記熱交換部との間に挟持された際に前記表面層を侵入させる中間層側溝部（４１ａ…４５ａ）を有している熱交換装置。
【請求項４】
前記中間層は、前記介在部が前記熱源部と前記熱交換部との間に挟持された際に変形可能に形成されたものである請求項３に記載の熱交換装置。
【請求項５】
前記介在部が前記熱源部と前記熱交換部との間に挟持された際に、前記表面層の厚み寸法（ｔ１）は、前記中間層の厚み寸法（ｔ２）よりも薄くなっている請求項３または４に記載の熱交換装置。
【請求項６】
前記中間層の熱伝導率は、前記表面層の熱伝導率の２０倍以上である請求項３ないし５のいずれか１つに記載の熱交換装置。
【請求項７】
前記中間層は、前記表面層を保持する保持部（４１ｂ）を有している請求項３ないし６のいずれか１つに記載の熱交換装置。
【請求項８】
前記中間層は、前記熱源部および前記熱交換部の少なくとも一方に対する相対位置を決定する位置決め部（４１ｃ）を有している請求項３ないし７のいずれか１つに記載の熱交換装置。
【発明の詳細な説明】
【技術分野】
【０００１】
本発明は、熱交換装置に関するもので、電池スタックの冷却に用いて好適である。
【背景技術】
【０００２】
従来、特許文献１に、電池スタックを冷却するために、電池スタックの有する熱を外部に放熱させる熱交換装置が開示されている。電池スタックは、複数の電池セルを積層することによって略直方体形状に形成された組電池であって、充放電時に自己発熱を伴う熱源部である。さらに、特許文献１の熱交換装置は、電池スタックの有する熱を外部へ放熱させるための金属板を備えている。この金属板は、接着材によって、電池セルの積層方向に平行に広がる電池スタックの側面に固定されている。
【０００３】
ここで、この種の電池スタックでは、いずれかの電池セルの冷却が不充分になってしまうと、当該電池セルの出力が低下して電池スタック全体としての性能が低下してしまう。このため、電池スタックのような熱源部の冷却に用いられる熱交換装置においては、熱源部の全体から均等に放熱させて、熱源部の全体を均等に冷却できることが望ましい。
【０００４】
そこで、特許文献１の熱交換装置では、比較的熱伝導率の高い接着材を採用し、この接着材を電池スタックと金属板との間の熱移動を促進させる介在部としている。これにより、複数の電池セルの寸法誤差等によって金属板が固定される電池スタックの側面に凹部が形成されていたとしても、凹部内に接着材を充填することによって全ての電池セルと金属板とを熱的に接続させて、いずれの電池セルについても良好に冷却しようとしている。
【先行技術文献】
【特許文献】
【０００５】
【特許文献１】特許第５８５２０９２号公報
【発明の概要】
【発明が解決しようとする課題】
【０００６】
しかしながら、特許文献１の熱交換装置のように、複数の電池セルの寸法誤差等によって形成される凹部内に接着材を充填しようとしても、接着材の内部に気泡が残留していると、当該気泡が残留している部位の熱抵抗が高くなってしまう。その結果、電池スタックの全体から均等に放熱させることができなくなってしまい、一部の電池セルを良好に冷却することができなくなってしまう。
【０００７】
本発明は、上記点に鑑み、熱源部の全体から極力均等に放熱させることのできる熱交換装置を提供することを目的とする。
【課題を解決するための手段】
【０００８】
上記目的を達成するため、請求項１に記載の発明は、熱源部（ＢＳ）の有する熱を移動させる熱交換部（２）と、熱源部と熱交換部との間に配置されて、熱源部と熱交換部との間の熱移動を促進させる介在部（３）と、を備え、
介在部は、変形可能な材料で形成されているとともに、介在部が熱源部と熱交換部との間に挟持された際に押し潰されることによって介在部と熱源部との間、あるいは、介在部と熱交換部との間に空気が残留してしまうことを抑制する介在部側突出部（３３ａ、３４ａ）を有している熱交換装置である。
【０００９】
これによれば、介在部（３）が介在部側突出部（３３ａ、３４ａ）を有しているので、介在部側突出部（３３ａ、３４ａ）が押しつぶされることによって、介在部（３）と熱源部（ＢＳ）とを密着させること、および介在部（３）と熱交換部（２）とを密着させることができる。
【００１０】
従って、介在部（３）と熱源部（ＢＳ）との間、あるいは、介在部（３）と熱交換部（２）との間に空気が残留してしまうことを抑制することができる。そして、熱源部（ＢＳ）と熱交換部（２）との間に空気が残留して熱抵抗の高い部位が発生してしまうことを抑制することができる。
【００１１】
その結果、熱源部（ＢＳ）の全体から極力均等に放熱させることのできる熱交換装置を提供することができる。
【００１２】
また、請求項２に記載の発明は、熱源部（ＢＳ）の有する熱を移動させる熱交換部（２）と、熱源部と熱交換部との間に配置されて、熱源部と熱交換部との間の熱移動を促進させる介在部（３）と、を備え、
介在部は、変形可能な材料で形成されており、
熱源部および熱交換部の少なくとも一方は、介在部が熱源部と熱交換部との間に挟持された際に介在部を侵入させることによって介在部と熱源部との間、あるいは、介在部と熱交換部との間に空気が残留してしまうことを抑制する溝部（６ｂ）を有している熱交換装置である。
【００１３】
これによれば、熱源部（ＢＳ）および熱交換部（２）の少なくとも一方が溝部（６ｂ）を有しているので、介在部（３）の一部が溝部（６ｂ）に侵入することによって、介在部（３）と熱源部（ＢＳ）との間、あるいは、介在部（３）と熱交換部（２）との間の空気を溝部（６ｂ）を介して外部へ排出することができる。
【００１４】
従って、介在部（３）と熱源部（ＢＳ）との間、あるいは、介在部（３）と熱交換部（２）との間に空気が残留してしまうことを抑制することができる。さらに、溝部（６ｂ）内に空気が残留してしまったとしても、介在部（３）が溝部（６ｂ）に侵入することによって、介在部（３）と溝部（６ｂ）との接触面積を増大させることができるので、介在部（３）と熱源部（ＢＳ）との間、あるいは、介在部（３）と熱交換部（２）との間の熱抵抗のバラツキの増加を抑制することができる。
【００１５】
その結果、熱源部（ＢＳ）の全体から極力均等に放熱させることの可能な熱交換装置を提供することができる。
【００１６】
また、請求項３に記載の発明は、熱源部（ＢＳ）の有する熱を移動させる熱交換部（２）と、熱源部と熱交換部との間に配置されて、熱源部と熱交換部との間の熱移動を促進させる介在部（３）と、を備え、
介在部は、変形可能な材料で形成された表面層（３１、３２）、および表面層よりも熱伝導率の高い材料で形成された中間層（４１…４５）を有し、
中間層は、介在部が熱源部と熱交換部との間に挟持された際に表面層を侵入させる中間層側溝部（４１ａ…４５ａ）を有している熱交換装置である。
【００１７】
これによれば、中間層（４１…４５）が中間層側溝部（４１ａ…４５ａ）を有しているので、表面層（３１、３２）の一部を中間層側溝部（４１ａ…４５ａ）に侵入させることができる。そして、表面層（３１、３２）と熱源部（ＢＳ）と間、あるいは表面層（３１、３２）と熱交換部（２）と間の空気を、表面層（３１、３２）とともに、中間層側溝部（４１ａ…４５ａ）内へ移動させて外部に排出することができる。
【００１８】
従って、表面層（３１、３２）と熱源部（ＢＳ）との間、あるいは、表面層（３１、３２）と熱交換部（２）との間に空気が残留してしまうことを抑制することができる。さらに、中間層側溝部（４１ａ…４５ａ）内に空気が残留してしまったとしても、表面層（３１、３２）よりも熱伝導率の高い材料で形成された中間層（４１…４５）を介して熱源部と熱交換部との間の熱移動を行わせることができる。
【００１９】
その結果、熱源部（ＢＳ）の全体から極力均等に放熱させることの可能な熱交換装置を提供することができる。
【００２０】
なお、この欄および特許請求の範囲で記載した各手段の括弧内の符号は、後述する実施形態に記載の具体的手段との対応関係を示す一例である。
【図面の簡単な説明】
【００２１】
【図１】第１実施形態の熱交換装置の分解斜視図である。
【図２】図１のＩＩ矢視図であって、第１実施形態の熱交換装置の模式的な拡大側面図である。
【図３】第１実施形態の中間部材の変形例の外観斜視図である。
【図４】第１実施形態の中間部材の別の変形例の外観斜視図である。
【図５】第１実施形態の中間部材の別の変形例の外観斜視図である。
【図６】第１実施形態の中間部材の別の変形例の外観斜視図である。
【図７】第２実施形態の熱交換装置の分解斜視図である。
【図８】図７のＶＩＩＩ矢視図であって、第２実施形態の熱交換装置の模式的な拡大側面図である。
【図９】第３実施形態の熱交換装置の模式的な側面図である。
【図１０】第４実施形態の熱交換装置の分解斜視図である。
【図１１】第４実施形態の介在部の変形例の外観斜視図である。
【図１２】第４実施形態の介在部の別の変形例の外観斜視図である。
【図１３】第５実施形態の熱交換装置の分解斜視図である。
【図１４】図１３のＸＩＶ矢視図であって、第５実施形態の熱交換装置の模式的な拡大正面図である。
【図１５】第５実施形態の介在部の変形例の外観斜視図である。
【図１６】他の実施形態の介在部の外観斜視図である。
【発明を実施するための形態】
【００２２】
（第１実施形態）
以下、図面を用いて、本発明の第１実施形態を説明する。本実施形態の熱交換装置１は、電池スタックＢＳの冷却に用いられている。この電池スタックＢＳは、電気自動車に搭載されて、走行用電動モータ等に電力を供給するものである。本実施形態の熱交換装置１は、電池スタックＢＳを冷却するために、電池スタックＢＳが発生させた熱を外気に放熱させる機能を果たす。従って、本実施形態の熱源部は、電池スタックＢＳである。
【００２３】
電池スタックＢＳは、複数の電池セルＢＣを電気的に直列に接続して形成したものである。電池セルＢＣは、充放電可能な二次電池（例えば、リチウムイオン電池、鉛蓄電池）である。それぞれの電池セルＢＣは、図１に示すように、扁平な略直方体形状に形成されている。複数の電池セルＢＣは、平坦面同士を隣接させた状態で一定の方向（図１では、積層方向）に積層配置されている。
【００２４】
積層配置された複数の電池セルＢＣは、締結部材５によってブロック状に一体化されて、電池スタックＢＳを形成している。このため、電池スタックＢＳの外観形状も略直方体形状に形成されている。なお、図１等の分解斜視図では、図示の明確化のため一部の電池セルＢＣ等を省略している。また、図１等における上下の各矢印は、熱交換装置１を電池スタックＢＳに適用した状態における上下の各方向を示している。
【００２５】
この種の電池セルＢＣは、作動時（すなわち、充放電時）に発熱を伴う。さらに、電池セルＢＣは、自己発熱等による温度上昇によって劣化が進行しやすい。このため、いずれの電池セルＢＣも予め定めた基準温度を超えないように冷却されることが望ましい。つまり、電池スタックＢＳ全体としては、全ての電池セルＢＣから均等に放熱させて、全ての電池セルＢＣが均等に冷却されることが望ましい。
【００２６】
次に、熱交換装置１は、電池スタックＢＳの有する熱を移動させる熱交換部２を有している。本実施形態の熱交換部２は、伝熱性に優れる板状の金属（本実施形態では、アルミニウム）で形成された扁平多穴チューブである。熱交換部２は、電池セルＢＣの積層方向に広がる電池スタックＢＣの底面と同等の大きさで、平坦面が電池スタックＢＣの底面と重合するように平行に配置されている。
【００２７】
熱交換部２の内部には、作動流体が流通する流路が形成されている。この流路を流通する作動流体の温度が電池スタックＢＳよりも低い場合には、電池スタックＢＳの有する熱が作動流体に放熱されて、電池スタックＢＳが冷却される。また、この流路を流通する作動流体の温度が電池スタックＢＳよりも高い場合には、作動流体の有する熱が電池スタックＢＳに放熱されて、電池スタックＢＳが加熱されて暖機される。
【００２８】
電池スタックＢＣの底面と熱交換部２との間には、電池スタックＢＣと熱交換部２との間の熱移動を促進させる介在部３が配置されている。介在部３は、図１、図２に示すように、電池スタックＢＣの底面から熱交換部２の平坦面へ向かって順に、電池スタックＢＳ側の表面層を形成する熱伝導グリス３１、中間層を形成する中間部材４１、熱交換部２側の表面層を形成する熱伝導グリス３１が配置された三層構造になっている。
【００２９】
熱伝導グリス３１は、温度変化に対する粘度の変化が比較的少ないグリス（本実施形態では、シリコーングリス）に、比較的熱伝導率の高い材料で形成された放熱フィラーを混ぜたものである。放熱フィラーとしては、金属粉末（具体的には、アルミニウムの粉末、アルミナの粉末）、カーボンナノチューブ、セラミックスの粉末等を採用することができる。従って、熱伝導グリス３１は、変形可能な材料で形成されている。
【００３０】
中間部材４１は、金属製（本実施形態では、アルミニウム製）の薄板を折り曲げることによって形成されたものである。中間部材４１は、積層方向に垂直な上下方向から見たときに、電池スタックＢＣの底面および熱交換部２の平坦面の全域と重なり合う大きさに形成されている。さらに、熱伝導グリス３１は、電池スタックＢＣと中間部材４１との間、および熱交換部２と中間部材４１との間の全域に塗布されている。
【００３１】
なお、図１では、図示の明確化のため、熱伝導グリス３１を、一部を省略した螺旋状に描いているが、実際の熱伝導グリス３１は、図１に示すように塗布されている訳ではない。実際の熱伝導グリス３１は、電池スタックＢＣの底面と中間部材４１の上面との間、および中間部材４１の下面と熱交換部２の上側の平坦面との間の全域に広がるように一様に塗布されている。
【００３２】
また、中間部材４１は、介在部３が電池スタックＢＣと熱交換部２との間に挟持された際に、弾性変形可能に折り曲げられている。
【００３３】
より具体的には、本実施形態の中間部材４１は、図２に示すように、電池スタックＢＣの底面に対向する面、および熱交換部２の平坦面に対向する面が交互に形成されるように折り曲げられている。換言すると、中間部材４１は、積層方向に垂直な水平方向から見たときに、上側に底辺を有する三角形状と下側に底辺を有する三角形状が連続的に交互に繰り返されるように折り曲げられている。
【００３４】
そして、このように折り曲げられていることによって、中間部材４１には、介在部３が電池スタックＢＣと熱交換部２との間に挟持された際に、熱伝導グリス３１が侵入する複数の中間層側溝部４１ａが形成されている。
【００３５】
中間層側溝部４１ａは、電池セルＢＣの積層方向に対して垂直に延びている。中間層側溝部４１ａの両端部は外部（すなわち、大気）に連通している。中間層側溝部４１ａへ熱伝導グリス３１を侵入させる開口部は、積層方向に垂直な方向から見た断面において、三角形状の頂部を形成する部位に形成される。
【００３６】
また、中間部材４１の熱伝導率は、熱伝導グリス３１の熱伝導率よりも高くなっている。具体的には、本実施形態のアルミニウム製の中間部材４１の熱伝導率（２４０Ｗ／ｍＫ）は、熱伝導グリス３１の熱伝導率の少なくとも２０倍以上となっている。
【００３７】
また、図２に示すように、介在部３が電池スタックＢＣと熱交換部２との間に挟持された際に、熱交換部２の平坦面に水平方向から見ると、熱伝導グリス３１の厚み寸法ｔ１は、電池スタックＢＳ側においても、熱交換部２側においても、いずれも中間部材４１の厚み寸法ｔ２よりも薄くなっている。厚み寸法は、熱交換部２の平坦面に垂直な方向で、熱交換部２から電池スタックＢＣへ至る距離の寸法と定義することができる。
【００３８】
また、それぞれの電池セルＢＣの外表面および熱交換部２の外表面には、絶縁処理が施されている。このため、それぞれの電池セルＢＣと熱交換部２との間の絶縁性が確保されている。このような絶縁処理としては、電池セルＢＣ等の外表面に絶縁性を有する塗料を塗布する手段や、電池セルＢＣ等の外表面に絶縁性を有する絶縁フィルムを貼り付ける手段を採用することができる。
【００３９】
次に、本実施形態の熱交換装置１の製造方法について説明する。まず、中間部材４１の電池スタックＢＣ側の面および熱交換部２側の面に熱伝導グリス３１を塗布することによって予め介在部３を形成する（介在部形成工程）。介在部形成工程にて形成された介在部３を電池スタックＢＣの底面と熱交換部２の平坦面との間に挟み込むように配置する（介在部挟持工程）。
【００４０】
その後、熱交換部２を電池スタックＢＣ側に押し当てる（押し当て工程）。押し当て工程では、図２に示すように、中間部材４１の両面の点ハッチングで示す熱伝導グリス３１が中間層側溝部４１ａに侵入するまで押し当てる。押し当て工程時に、介在部３の中間部材４１に、電池セルＢＣや熱交換部２に接触してしまう部位が存在してもよい。
【００４１】
さらに、押し当て工程の後、絶縁性を有する固定部材（例えば、樹脂製の帯状部材）等を用いて、電池スタックＢＣ、介在部３、および熱交換部２を固定する。以上の工程によって、熱交換装置１が形成される。
【００４２】
次に、本実施形態の熱交換装置１の作動を説明する。熱交換部２の流路に所定の温度の作動流体を流通させた状態で、電池スタックＢＳが充放電することによって発熱すると、電池スタックＢＳの発生させた熱が介在部３を介して熱交換部２に伝熱される。そして、電池スタックＢＳの発生させた熱は、作動流体に吸熱される。これにより、熱交換装置１では、電池スタックＢＳを冷却することができる。
【００４３】
また、電池スタックＢＳの充放電前のように、作動流体の温度が電池スタックＢＳの温度よりも低くなっている際には、作動流体の有する熱が、介在部３を介して、電池スタックＢＳに伝熱される。これにより、熱交換装置１では、電池スタックＢＳを加熱して暖機することもできる。
【００４４】
ところで、本実施形態の熱源部である電池スタックＢＳは、複数の電池セルＢＣを積層配置したものなので、複数の電池セルＢＣの寸法誤差等によって介在部３が当接する電池スタックＢＳの底面には、段差や凹部が形成されてしまう。そして、このような凹部に空気が残留していると、当該部位の熱抵抗が増加してしまう。
【００４５】
その結果、当該部位では、電池スタックＢＳの有する熱を熱交換部２へ伝熱させることができなくなってしまうので、電池スタックＢＳの全体から均等に放熱させることができなくなってしまうおそれがある。すなわち、一部の電池セルＢＣを冷却することができなくなってしまうおそれがある。
【００４６】
これに対して、本実施形態の熱交換装置１では、介在部３として、熱伝導グリス３１および中間部材４１によって、三層構造に形成されたものを採用している。そして、中間部材４１が中間層側溝部４１ａを有しているので、熱交換装置１を製造する際に（具体的には、押し当て工程時に）、熱伝導グリス３１の一部を中間層側溝部４１ａに侵入させることができる。
【００４７】
そして、熱伝導グリス３１と電池スタックＢＳとの間の空気、あるいは熱伝導グリス３１と熱交換部２との間の空気を、熱伝導グリス３１とともに、中間層側溝部４１ａ内に移動させ、さらに、中間層側溝部４１ａの両端部から外部に排出させることができる。従って、熱伝導グリス３１と電池スタックＢＳの底面との間、あるいは、熱伝導グリス３１と熱交換部２の平坦面との間に空気が残留してしまうことを抑制することができる。
【００４８】
さらに、中間層側溝部３０ａ内に空気が残留していたとしても、熱伝導グリス３１よりも熱伝導率の高い材料で形成された中間部材４１を介して電池スタックＢＳと熱交換部２との間の熱移動を行わせることができる。つまり、中間層側溝部３０ａ内に移動した空気によって、局所的に熱抵抗の高い部位が形成されてしまうことがなく、熱移動時に中間部材４１が介在する領域の熱抵抗は、比較的安定した値となる。
【００４９】
ここで、本発明者等の試験検討によれば、中間層である中間部材４１の熱伝導率を、表面層である熱伝導グリス３１の熱伝導率の２０倍以上としておくことで、一部の電池セルＢＣが劣化してしまうことを抑制できる程度に、熱抵抗のバラツキを抑制できることが確認されている。
【００５０】
従って、本実施形態の熱交換装置１によれば、電池スタックＢＳの有する熱を電池スタックＢＳの全体から略均等に放熱させることができる。換言すると、本実施形態の熱交換装置１によれば、全ての電池セルＢＣから極力均等に放熱させて、全ての電池セルＢＣを極力均等に冷却することができる。
【００５１】
このような効果は、作動流体の温度が電池スタックＢＳよりも低くなっており、電池スタックＢＳの冷却が行われる際のみに得られるものではない。すなわち、作動流体の温度が電池スタックＢＳよりも高くなっており、電池スタックＢＳを加熱して暖機する際には、全ての電池セルＢＣを極力均等に加熱することができる。
【００５２】
また、本実施形態の中間部材４１では、熱伝導グリス３１を侵入させる中間層側溝部４１ａが形成されている。従って、熱交換装置１を製造する際に（具体的には、押し当て工程時に）、熱伝導グリス３１と電池スタックＢＳの底面との間の空気、あるいは、熱伝導グリス３１と熱交換部２の平坦面との間の空気を、比較的小さな押し当て力で押し出すことができる。
【００５３】
また、本実施形態の熱交換装置１では、中間部材４１として、介在部３が電池スタックＢＣと熱交換部２との間に挟持された際に弾性変形するものを採用している。これによれば、中間部材４１自体の形状を、電池スタックＢＳの底面に形成される段差や凹部に適合するように変形させることができる。
【００５４】
また、本実施形態の熱交換装置１では、熱伝導グリス３１の厚み寸法ｔ１が、中間部材４１の厚み寸法ｔ２よりも薄くなっているので、中間部材４１より熱伝導率の低い熱伝導グリス３１の使用量を低減させることができる。従って、電池スタックＢＣから熱交換部２への伝熱性を向上させることができる。
【００５５】
さらに、熱交換装置１を製造する際に（具体的には、押し当て工程時に）、熱伝導グリス３１を中間層側溝部３０ａ内に侵入させるので、熱伝導グリス３１が電池スタックＢＳと熱交換部２との間から外部へはみ出してしまう量が少なくなる。従って、はみ出したグリスを除去する工程が不要となり、熱交換装置１の生産性を向上させることができる。
【００５６】
ここで、本実施形態では、介在部３の中間層として、図１、図２に示すように、金属製の薄板を折り曲げた中間部材４１を採用しているが、中間層はこれに限定されない。以下に、本実施形態の熱交換装置１に適用可能な中間層の変形例を説明する。
【００５７】
例えば、図３に示すように、金属製の薄板を波状に折り曲げた中間部材４２を採用してもよい。中間部材４２では、波状に折り曲げられた部位によって、中間層側溝部４２ａが形成されている。中間部材４２では、押し当て力に対する変形度合を大きくすることができる。従って、中間部材４２は、電池スタックＢＳの底面に形成される段差や凹部に適合する形状に変形しやすい。
【００５８】
また、図４に示すように、金属製の薄板に電池スタックＢＳの底面側に突出する凸部４３ｂ、および熱交換部２の平坦面側に突出する凸部４３ｃを交互に形成した中間部材４３を採用してもよい。この場合は、各凸部４３ｂ、４３ｃ同士の間に形成される空間、および各凸部４３ｂ、４３ｃの内側の空間によって中間層側溝部４３ａが形成される。各凸部４３ｂ、４３ｃの形状は、円錐台状に限定されることなく、角柱状、円柱状、半球状に形成されていてもよい。
【００５９】
また、図５に示すように、金属製の多孔質材（金属スポンジ、焼結金属、発泡金属、金属メッシュ）で形成された中間部材４４を採用してもよい。この場合は、金属間に形成された多孔４４ａによって中間層側溝部が形成される。中間部材４４は、多孔質材で形成されているので、材料の調整および多孔４４ａの密度を調整することによって、押し当て力に対する変形度合を調整しやすい。
【００６０】
また、図６に示すように、金属製の薄板に切り込み加工を施し、電池スタックＢＳの底面側に突出する複数の切り起こし部４５ｂ、および熱交換部２の平坦面側に突出する切り起こし部４５ｃを形成した中間部材４５を採用してもよい。この場合は、切り起こし部４５ｂ、４５ｃ同士の間に中間層側溝部４５ａが形成される。
【００６１】
中間部材４５では、各切り起こし部４５ｂ、４５ｃの面積を拡大させることによって、熱伝導グリス３１との接触面積を増大させて、熱伝導グリス３１と中間部材４５との間の熱抵抗をより一層低減させることができる。
【００６２】
（第２実施形態）
本実施形態では、第１実施形態に対して、図７、図８に示すように、介在部３の構成を変更した例を説明する。なお、図７は、第１実施形態で説明した図１に対応する図面であり、図８は、第１実施形態で説明した図２に対応する図面である。図７、図８では、第１実施形態と同一もしくは均等部分には同一の符号を付している。このことは、以下の図面でも同様である。
【００６３】
まず、本実施形態では、図７、図８に示すように、表面層として熱伝導シート３２を採用している。熱伝導シート３２は、電気絶縁性と高い熱伝導性とを兼ね備えるシリコーン樹脂で形成されている。従って、熱伝導シート３２は、変形可能な材料で形成されている。熱伝導シート３２は、板状に形成されており、電池スタックの積層方向に垂直な上下方向から見たときに、電池スタックＢＣの底面および熱交換部２の平坦面の全域と重なり合う大きさに形成されている。
【００６４】
また、本実施形態では中間層として、第１実施形態の変形例として説明した金属製の薄板を波状に折り曲げることによって形成した中間部材４２を採用している。その他の熱交換装置１の構成および作動は、第１実施形態と同様である。従って、本実施形態の熱交換装置１においても、第１実施形態と同様の効果を得ることができる。
【００６５】
さらに、本実施形態では、表面層として熱伝導シート３２を採用しているので、熱伝導グリス３１を採用する場合よりも、熱交換装置１を製造する際（具体的には、押し当て工程時）の表面層の厚み寸法の変化が少ない。これに加えて、本実施形態では、中間部材４２を採用しているので、第１実施形態で説明した中間部材４１よりも押し当て力に対する変形度合が大きい。
【００６６】
従って、図８に示すように、熱伝導グリス３１を採用する場合よりも、表面層である熱伝導シート３２の厚み寸法の変化を抑制することができる。これにより、熱伝導シート３２が配置された領域の熱抵抗のバラツキをより一層抑制することができる。その結果、本実施形態の熱交換装置１によれば、電池スタックＢＳの有する熱を電池スタックＢＳの全体からより一層均等に放熱させることができる。
【００６７】
（第３実施形態）
本実施形態の熱交換装置１では、図９に示すように、介在部３として、熱伝導グリス３１を採用している。さらに、それぞれの電池セルＢＣのうち電池スタックＢＳの底面を形成する部位に溝部形成部材６が配置されている。溝部形成部材６は、伝熱性に優れる金属（本実施形態では、アルミニウム）で形成されている。
【００６８】
溝部形成部材６は、電池スタックＢＳの底面側から熱交換部２側へ突出する複数の凸部６ａを有している。凸部６ａは、電池セルＢＣの積層方向に対して垂直に延びている。これにより、隣り合う凸部６ａの間には、凸部６ａと同じ方向に延びる溝部６ｂが形成されている。
【００６９】
溝部６ｂは、熱伝導グリス３１が電池スタックＢＣと熱交換部２との間に挟持された際に、熱伝導グリス３１を侵入させる部位である。溝部６ｂの長手方向端部は閉塞されることなく、溝部６ｂは外気に連通している。その他の熱交換装置１の構成および作動は第１実施形態と同様である。
【００７０】
本実施形態の熱交換装置１によれば、溝部６ｂを有しているので、熱交換装置１を製造する際に（具体的には、押し当て工程時に）、熱伝導グリス３１の一部を溝部６ｂに侵入させることができる。そして、熱伝導グリス３１と電池スタックＢＳとの間の空気を、熱伝導グリス３１とともに溝部６ｂ内に移動させて外部へ排出することができる。従って、熱伝導グリス３１と電池スタックＢＳとの間に空気が残留してしまうことを抑制することができる。
【００７１】
さらに、溝部６ｂ内に空気が残留していたとしても、熱伝導グリス３１が溝部６ｂ内に移動することによって、伝熱性に優れる溝部形成部材６の一部が熱伝導グリス３１に食い込むことになる。これにより、溝部形成部材６と熱伝導グリス３１との接触面積を増大させることができるので、熱伝導グリス３１と電池スタックＢＳとの間の熱抵抗のバラツキの増加を抑制することができる。
【００７２】
その結果、本実施形態の熱交換装置１によれば、電池スタックＢＳの有する熱を電池スタックＢＳの全体から極力均等に放熱させることができる。換言すると、本実施形態の熱交換装置１によれば、全ての電池セルＢＣから極力均等に放熱させて、全ての電池セルＢＣを均等に冷却することができる。また、第１実施形態と同様に、全ての電池セルＢＣを均等に加熱して暖機することもできる。
【００７３】
（第４実施形態）
本実施形態の熱交換装置１では、図１０に示すように、介在部３として、熱伝導シート３３を採用している。熱伝導シート３３は、電池スタックＢＳに対向する表面、および熱交換部２に対向する表面に、介在部側突出部３３ａが形成されている。介在部側突出部３３ａは、熱伝導シート３３が電池スタックＢＳと熱交換部２との間に挟持された際に押しつぶされる部位である。
【００７４】
介在部側突出部３３ａは、電池セルＢＣの積層方向に対して垂直に延びる形状に形成されている。このため、隣り合う介在部側突出部３３ａの間には、介在部側突出部３３ａと同じ方向に延びる介在部側溝部が形成されている。介在部側溝部の長手方向端部は閉塞されることなく、介在部側溝部は外気に連通している。その他の熱交換装置１の構成および作動は第１実施形態と同様である。
【００７５】
本実施形態の熱交換装置１によれば、熱伝導シート３３が介在部側突出部３３ａを有しているので、介在部側突出部３３ａが押しつぶされることによって、熱伝導シート３３と電池スタックＢＳとの間の空気、および熱伝導シート３３と熱交換部２との間の空気を、介在部側溝部の両端部から外部に排出することができる。
【００７６】
従って、熱伝導シート３２と電池スタックＢＳとの間、あるいは、熱伝導シート３２と熱交換部２との間に空気が残留してしまうことを抑制することができる。
【００７７】
その結果、本実施形態の熱交換装置１によれば、電池スタックＢＳの有する熱を電池スタックＢＳの全体から極力均等に放熱させることができる。換言すると、本実施形態の熱交換装置１によれば、全ての電池セルＢＣから極力均等に放熱させて、全ての電池セルＢＣを均等に冷却することができる。また、第１実施形態と同様に、全ての電池セルＢＣを均等に加熱して暖機することもできる。
【００７８】
ここで、本実施形態では、図１０に示すように、介在部３である熱伝導シート３３に介在部側突出部として、電池セルＢＣの積層方向に対して垂直に延びる介在部側突出部３３ａを形成した例を説明したが、介在部側突出部はこれに限定されない。以下に、本実施形態の熱交換装置１に適用可能な熱伝導シートの変形例を説明する。
【００７９】
例えば、図１１に示すように、電池スタックＢＳの底面側に突出する円柱状の介在部側突出部３４ａを形成した熱伝導シート３４を採用してもよい。介在部側突出部３４ａの形状は、円柱状に限定されることなく、円錐台状、角柱状、半球状に形成されていてもよい。また、図１２に示すように、介在部側突出部３３ａを、電池スタックＢＳに対向する表面のみに形成した熱伝導シート３５を採用してもよい。
【００８０】
熱伝導シート３４、３５のように、熱交換部２に対向する面の介在部側突出部を廃止することで、熱交換装置１を製造する際（具体的には、押し当て工程時）の押し当て力を軽減することができる。ここで、熱交換部２の平坦面は、比較的凹凸が少ない。このため、熱交換部２に対向する面の突出部を廃止しても、熱伝導シート３２と熱交換部２との間に空気は残留しにくく、局所的に熱抵抗の高い部位が形成されにくい。
【００８１】
さらに、第２実施形態で説明した熱伝導シート３２の平坦面に対して、熱伝導グリス３１を塗布することによって、熱伝導シート３３〜３５と同様の介在部側突出部を形成したものを介在部３として用いてもよい。この場合は、所望の位置に熱伝導グリス３１を透過させる孔が形成された版を用いたシルクスクリーン印刷やドット塗布によって、熱伝導シート３２に熱伝導グリス３１を塗布すればよい。
【００８２】
（第５実施形態）
本実施形態の熱交換装置１では、図１３に示すように、熱交換部２が電池スタックＢＳの水平方向の側面であって、積層方向に広がる側面と重合するように平行に配置されている。このため、熱交換部２および介在部３は、電池セルＢＣの積層方向および鉛直方向に平行に広がるように配置されている。
【００８３】
本実施形態の介在部３は、電池スタックＢＣの側面側から熱交換部２の平坦面へ向かって順に、表面層を形成する熱伝導シート３２、中間層を形成する中間部材４１、表面層を形成する熱伝導シート３２が配置された三層構造になっている。熱伝導シート３２は第２実施形態で説明したものと同様のものである。中間部材４１は第１実施形態で説明したものに保持部４１ｂ、および位置決め部４１ｃを追加したものである。
【００８４】
中間部材４１の保持部４１ｂは、表面層を保持する部位である。また、位置決め部４１ｃは、電池スタックＢＳに対する相対位置を決定するために、電池スタックＢＳに仮固定される部位である。
【００８５】
具体的には、保持部４１ｂは、中間部材４１のうち中間層側溝部４１ａの上方側の端部を形成する部位から熱伝導シート３２側に突出させた切り起こし部によって形成されている。そして、図１４に示すように、保持部４１ｂを熱伝導シート３２に食い込ませることによって、電池スタックＢＣ側の熱伝導シート３２および熱交換部２側の熱伝導シート３２が中間部材４１に保持されている。
【００８６】
位置決め部４１ｃは、中間部材４１の上方側の一部から電池スタックＢＳ側へ折り曲げられた折り曲げ部によって形成されている。そして、図１４に示すように、位置決め部４１ｃを電池スタックＢＳの上面に乗せることによって、熱伝導シート３２を保持した中間部材４１、すなわち介在部３全体の電池スタックＢＳに対する相対位置が決定される。
【００８７】
この際、電池スタックＢＳの性能低下を招かない範囲で、接着、かしめ等の手段によって、位置決め部４１ｃを電池スタックＢＳに仮固定してもよい。その他の熱交換装置１の構成および作動は、第１実施形態と同様である。従って、本実施形態の熱交換装置１においても、第１実施形態と同様の効果を得ることができる。
【００８８】
さらに、本実施形態では、中間部材４１が保持部４１ｂを有しているので、介在部３を形成する際に（具体的には、介在部形成工程時に）、中間部材４１と熱伝導シート３２とを容易に一体化することができる。
【００８９】
これに加えて、中間部材４１が位置決め部４１ｃを有しているので、介在部３全体を電池スタックＢＳに対して仮固定して、位置決めすることができる。従って、本実施形態のように、電池スタックＢＳの側面から電池スタックＢＳの有する熱を放熱させる熱交換装置１を製造する際の生産性を向上させることができる。
【００９０】
本実施形態では、中間層側溝部４１ａの上方側の端部を形成する部位から熱伝導シート３２側に突出させた切り起こし部によって保持部４１ｂを形成しているが、保持部４１ｂはこれに限定されない。例えば、図１５に示すように、金属製の薄板に保持部としての電池スタックＢＳの側面側に突出する複数の切り起こし部４６ａ、および熱交換部２の平坦面側に突出する切り起こし部４６ｂを形成した中間部材４６を採用してもよい。
【００９１】
（他の実施形態）
本発明は上述の実施形態に限定されることなく、本発明の趣旨を逸脱しない範囲内で、以下のように種々変形可能である。
【００９２】
（１）上述の実施形態では、熱源部を電池スタックＢＳとした例を説明したが、熱源部は電池スタックＢＳに限定されない。本発明に係る熱交換装置１は、電池スタックＢＳ以外の熱源部であっても、全体から均等に放熱させて、全体を均等に冷却されることが望ましい熱源部に対して広く適用可能である。同様に、暖機時などに全体を均等に加熱することが望ましい熱源部に対して広く適用可能である。
【００９３】
（２）上述の実施形態では、熱源部の有する熱を移動させる熱交換部２として、作動流体を流通させる扁平多穴チューブを採用した例を説明したが、熱交換部はこれに限定されない。
【００９４】
例えば、上述の実施形態のように、熱交換部として扁平多穴チューブを採用する場合には、扁平多穴チューブの出口に作動流体と外気とを熱交換させる室外熱交換器の作動流体入口側に接続し、さらに、室外熱交換器の作動流体出口に扁平多穴チューブの入口側を接続した作動流体循環回路を形成すればよい。そして、循環回路に作動流体を圧送する水ポンプ等を配置してもよい。
【００９５】
また、熱交換部として、ペルチェ素子や蒸気圧縮式の冷凍サイクル装置にて生成された温熱あるいは冷熱が伝熱される板状の金属製の伝熱用部材を採用してもよい。これによれば、熱源部の有する温熱を移動させて熱源部を冷却できるだけでなく、熱源部の有する冷熱を移動させて熱源部を加熱して熱源部を暖機することができる。そして、熱源部の温度を所望の温度帯の範囲内に維持することができる。
【００９６】
また、熱交換装置１を、熱源部を冷却するために用いる場合は、上述の作動流体循環回路を形成し、冷媒として蒸気圧縮式の冷凍サイクルで利用されるフロン系冷媒（例えば、Ｒ１３４ａ、Ｒ１２３４ｙｆ等）を採用してもよい。そして、扁平多穴チューブを、冷媒を蒸発させる蒸発部とし、室外熱交換器を冷媒を凝縮させる凝縮部とするサーモサイフォンを構成してもよい。
【００９７】
これによれば、水ポンプ等を必要とすることなく、作動流体を自然循環させて、熱源部の有する熱を連続的に外部（すなわち、外気）へ移動させることができる。さらに、サーモサイフォンを構成する際には、第５実施形態と同様に、熱交換部２を電池スタックＢＳの側面と重合するように配置し、作動流体を下方側から上方側へ流すように扁平多穴チューブの流路を形成することが望ましい。
【００９８】
また、熱交換装置１を、熱源部を冷却するために用いる場合は、板状の金属製の伝熱用部材に放熱促進用のフィンを形成したヒートシンクを採用してもよい。この場合は、ヒートシンクの介在部３に接する側の面が平坦面となっていることが望ましい。
【００９９】
（３）上述の実施形態では、介在部３の中間層として、介在部３が電池スタックＢＣと熱交換部２との間に挟持された際に弾性変形する中間部材を採用した例を説明したが、塑性変形するものであってもよい。そして、押し当て工程時に塑性変形させるようにしてもよい。
【０１００】
（４）上述の第３実施形態では、電池スタックＢＳに対して別部材で形成された溝部形成部材６について説明したが、溝部形成部材６は電池スタックＢＳに一体的に形成されていてもよい。より詳細には、溝部形成部材６は、電池セルＢＣのケースに形成されていてもよい。また、溝部形成部材は、熱交換部側にも配置されていてもよい。
【０１０１】
（５）上述の第５実施形態では、中間部材４１に保持部４１ｂを設けた例を説明したが、例えば、図１６に示すように、伝熱性に優れる金属（具体的には、アルミニウム）製の薄板４７の表面に、接着等の手段によって複数の円板状の熱伝導シート３２を固定したものを介在部３としてもよい。
【０１０２】
これによれば、熱伝導シート３２を、第４実施形態で説明した介在部側突出部として機能させることによって、第４実施形態と同様の効果を得ることができる。さらに、薄板４７に複数の熱伝導シート３２を保持することができるので、第５実施形態と同様の効果を得ることができる。
【０１０３】
（６）上記各実施形態に開示された手段は、実施可能な範囲で適宜組み合わせてもよい。例えば、第２実施形態の中間層として、中間部材４１、４３〜４５等を採用してもよい。例えば、第３実施形態の介在部３として、熱伝導シート３２等を採用してもよい。
【符号の説明】
【０１０４】
１              熱交換装置
２              熱交換部
３              介在部
６              溝部形成部材
６ｂ            溝部
３１            熱伝導グリス（介在部の表面層）
３２            熱伝導シート（介在部の表面層）
４１〜４５      中間部材（介在部の中間層）
４１ａ〜４５ａ  中間層側溝部
ＢＳ            電池スタック（熱源部）
【図１】
2019139879.tif 000003
【図２】
2019139879.tif 000004
【図３】
2019139879.tif 000005
【図４】
2019139879.tif 000006
【図５】
2019139879.tif 000007
【図６】
2019139879.tif 000008
【図７】
2019139879.tif 000009
【図８】
2019139879.tif 000010
【図９】
2019139879.tif 000011
【図１０】
2019139879.tif 000012
【図１１】
2019139879.tif 000013
【図１２】
2019139879.tif 000014
【図１３】
2019139879.tif 000015
【図１４】
2019139879.tif 000016
【図１５】
2019139879.tif 000017
【図１６】
2019139879.tif 000018